(57)【要約】【課題】カバー材を吊り腕に吊って傾斜孔の作用で傾動させるコンパクトで軽い構造を採用するため、製作並びに取り付けが容易に行われて、作動抵抗が小さいため間隙の変動に敏感に応動し、変動を確実に吸収する動作を安定して行うエキスパンションジョイントを提供すること。【解決手段】カバー材４の上方に立上片５に支持される摺動子６を設け、この摺動子６を他方の天井材等３より延出する吊り腕７に設けた下り傾斜の傾斜孔８に係合させて、カバー材４を常態では天井材等２、３と面一となる状態に保持させ、カバー材４の両側には、上方が広がるように傾斜する目隠縁９、１０を設けて、一方の目隠縁９の先端に、変動時、一方の天井材等に設けた受座１２に係合して傾動の中心となる支点部材１１を設けてあること。【選択図】        図１
2004353326.tif 000002
【特許請求の範囲】
【請求項１】
間隙をおいて相対する天井材等の間隙へ、この間隙を覆うカバー材を傾動が可能となるように配設したエキスパンションジョイントにおいて、
上記カバー材の上方に立上片に支持される摺動子を設け、この摺動子を他方の天井材等より延出する吊腕に設けた下り傾斜の傾斜孔に係合させて、カバー材を常態では天井材等と面一となる状態に保持させ、
カバー材の両側には、上方が広がるように傾斜する目隠縁を設け、一方の目隠縁の先端に、変動時に一方の天井材等に設けた受座に係合して傾動の中心となる支点部材を設けた
ことを特徴とするエキスパンションジョイント。
【発明の詳細な説明】
【０００１】
【発明の属する技術分野】
本発明は、間隙をおいて相対する天井材等に簡便に装着して間隙の閉塞を良好に行なわせるエキスパンションジョイントに関する。
【０００２】
【従来の技術】
従来、天井材等の間隙が変動するとき、間隙の継手材を傾動させて変動を吸収するエキスパンションジョイントにおいては、天井材等の一方にヒンジにより間隙を塞ぐ継手材を取付けて、該継手材の自由端側に傾斜案内部とこれに連なる水平案内部とを設け、他方の天井材には上記案内部を移動可能に支持する支持部材を設けて、間隙が狭まる天井材等の変動が起こるとき、継手材の傾斜案内部を支持部材へ乗り上げさせて変動を吸収させるようにしている。（例えば特許文献１参照）
【０００３】
【特許文献１】
実用新案登録第２５８２４９５号公報（第２頁〜第３頁、図１）
【０００４】
しかしながら、継手材が、ヒンジ構造を有する形材と傾斜案内部と水平案内部とを有する形材とを、連結材により連結した枠体の下へ天井材を取付ける大掛かりで重い構造であり、しかも、間隙の広がる変動に対しては、枠体を索条で躯体へ吊る必要があるので、製作並びに取り付けが困難であって、作動抵抗が大きいため期待通りの変動吸収機能が得られないことがあるという問題点があった。
【０００５】
【発明が解決しようとする課題】
本発明は前記問題点を解消し、カバー材を吊り腕に吊って傾斜孔の作用で傾動させるコンパクトで軽い構造を採用するため、製作並びに取り付けが容易に行われて、作動抵抗が小さいため間隙の変動に敏感に応動し、変動を確実に吸収する動作が安定して行われるエキスパンションジョイントを提供することをその課題とする。
【０００６】
【課題を解決するための手段】
前記課題を解決するため、本発明に係るエキスパンションジョイントは、間隙をおいて相対する天井材等の間隙へ、この間隙を覆うカバー材を傾動が可能となるように配設したエキスパンションジョイントにおいて、上記カバー材の上方に立上片に支持される摺動子を設け、この摺動子を他方の天井材等より延出する吊腕に設けた下り傾斜の傾斜孔に係合させて、カバー材を常態では天井材等と面一となる状態に保持させ、カバー材の両側には、上方が広がるように傾斜する目隠縁を設け、一方の目隠縁の先端に、変動時に一方の天井材等に設けた受座に係合して傾動の中心となる支点部材を設けたことを特徴とする。
【０００７】
【発明の実施の形態】
以下に本発明に係るエキスパンションジョイントを図面について説明する。
【０００８】
図１において符号１で示すエキスパンションジョイントの一例は、間隙Ｓをおいて相対する天井材２と天井材３の間隙へ、この間隙Ｓを覆うカバー材４を一方の天井材２に設けた受座１２を支点とした傾動が可能となるように配設したものであって、上記カバー材４の上方に立上片５に支持される摺動子６を設け、この摺動子６を他方の天井材３より延出する吊腕７に設けた下り傾斜の傾斜孔８に係合させて、カバー材４を常態では天井材２及び天井材３と面一となる状態に保持させ、カバー材４の両側には、上方が広がるように傾斜する目隠片９と目隠片１０を設けて、一方の目隠片９の先端に、変動時、一方の天井材２に設けた受座１２に係合して傾動の中心となる支点部材１１を設けた構成としてある。
【０００９】
上記一方の天井材２と他方の天井材３とは、所要幅で長尺に形成した公知のものを用い、側縁にはそれぞれ額縁材１３と額縁材１４を取り付ける。
【００１０】
一方の額縁材１３は、図２（ａ）に示す通り、天井材２の側縁に平行する側片１３ａと、側縁１３ａの下側に左方へ直角に曲るように設けた下片１３ｂと、上側の左方へ斜めに延出して途中より右側へ折り返し、この折返部をカバー材４に設けた支点部材１１の受座１２とした上片１３ｃと、この上片１３ｃの受座１２の下側より左方へ水平に張り出させた取付片１５とを有する構造としてある。
【００１１】
他方の額縁材１４は、図２（ｂ）に示す通り、天井材３の側縁に平行する側片１４ａと、側縁１４ａの下側に右方へ直角に曲がるように設けた下片１４ｂと、上側の右方へ斜めに延出して、上部に右側へ水平に延出する取付片１６を連設した上片１４ｃとを有する構成としてある。
【００１２】
天井材２と天井材３を建物躯体１７と建物躯体１８へ取り付けるには、図１に示す通り建物躯体１７と建物躯体１８の下側に吊り具１９で野縁受２０を水平に吊り、この野縁受２０に所定の間隔で野縁２１を取り付ける。そして、この野縁２１へ釘、ネジ等で天井材２と天井材３を止め付けるようにする。
【００１３】
カバー材４は、天井材２及び天井材３と同じ材料で間隙Ｓを閉塞するのに充分な幅で、図３に一部分を示す通りの長尺物に形成し、両側には額縁材２３、２４を嵌める。そして、一方の額縁材２３は、カバー材４の側縁と平行する側片２３ａの下側に直角に右方へ曲がる下片２３ｂを設け、上側には左方へ斜めに延出する目隠片９を設けて、この目隠片９の上端に支点部材１１を形成してあり、他方の額縁材２４は、カバー材４の側縁と平行する側片２４ａの下側に、直角に左方へ曲がる下片２４ｂを設け、上側には右方へ斜めに延び出す目隠片１０を設けて、この目隠片１０の上端には右方へ張り出す水平部１０ａを連設してある。
【００１４】
カバー材４の上方に摺動子６を支持させる立上片５は、図４（ａ）に示す通り、短寸の水平取付板２５の後側から直立させて、上部の左端側に摺動子６を取り付ける。この摺動子６は吊り腕７に設けた傾斜孔８と線状接触させる必要があるので、円形断面のものを用いるか、軸２６で立上片５へ回動自在に取り付けたローラを用いることが好ましい。
【００１５】
水平取付板２５は、これと同じく短寸に形成して、図４（ｂ）に示す通り上側に一対の係止溝２７を対設した座板２８の上に、両側を上記係止溝２７へ係合させて重ね合わせてかしめる。そして、額縁材２３、２４をこの水平取付板２５に設けたネジ孔２９及び座板２８に図４（ｂ）に示す通りにあけた取付孔３０にビス止めする。立上片５はカバー材４上へ所要の間隔で取付ける。
【００１６】
吊り腕７は、図４（ｃ）に示す通り、基部７ａの右端に前または後へ直角に曲がる取付片３３を設け、この取付片３３にあけた取付孔３４を通したネジ３５を図１の通り野縁受２０の端部へ固定したアングル３６へ締め込み、吊り腕７を傾斜孔８が摺動子６へ係合するように野縁受２０へ固定する。また、基部の下側には、前または後へ直角に曲がる支持片３７を設け、この支持片３７に図１に示す通り天井材３の額縁材１４における取付片１６を重ねて、この取付片１６に図２（ｂ）に示すように設けたネジ孔３８に対し、支持片３７にあけた取付孔３９を通して、図１に示すようにネジ４０を締め込み、額縁材１４を野縁受２０に固定する。
【００１７】
また、吊り腕７は傾斜孔８の下側には、常態ではカバー材４が天井材２及び天井材３と面一をなすように間隙Ｓへ納まるとき、立上片５の左縁へ当接して安定を保つためのストップピン４１を設け、カバー材４の重心を多少右側へ偏移させることにより上記状態が確実に保持されるようにする。
【００１８】
更に、天井材２の額縁材１３も野縁受２０へ固定する。このために図４（ｄ）に示す通りの取付部材４２を用いる。この取付部材４２は、基片４２ａの左端に前または後へ直角に曲がる取付片４２ｂを設け、この取付片４２ｂにあけた取付孔４３へネジ４４を通して、野縁受２０の端部に取付けたアングル３６へ図１に示す通りに締め込み、取付部材４２を野縁受２０へ固定する。また、取付部材４２の下側には前か後へ水平に延出する支持片４２ｃを設けて、この支持片４２ｃに図１に示すように、天井材２の額縁材１３から張り出す取付片１５を重ねて、この取付片１５に図２（ａ）に示すように設けたネジ孔４５に対し、支持片４２ｃにあけた取付孔４６を通して図１に示すようにネジ４７を締め込み、額縁材１４を野縁受２０へ固定する。
【００１９】
上記構成のエキスパンションジョイント１は、天井材２と天井材３が常態を保っていれば、カバー材４の立上片５に支持された摺動子６が、吊り腕７に設けた傾斜孔８の下端に支持されて、カバー材４を天井材２及び天井材３と面一となる状態で間隙Ｓに収まらせて間隙Ｓを閉塞している。しかし、地震や地盤沈下等が起って、天井材２と天井材３に間隙Ｓが狭まる変動を生じさせるときは、カバー材の目隠片９に設けた支点部材１１は天井材２の額縁材１３に設けた受座１２に当って止まる。しかし、吊り腕７は移動を続けるため、その傾斜孔８に係合する摺動子６は、図５、図６に示す通り傾斜孔８を上昇してカバー材４を右上りに傾動させ、カバー材４の自由端側を天井材３より上方へ入り込ませて、天井材２と天井材３の間隙を図５及び図６に通り縮小させる変動を支障なく行わせるようにする。
【００２０】
また、地震や地盤沈下等により天井材２と天井材３の間隙Ｓが広がる変動が起こるときは、カバー材４は図７に示す通り吊り腕７に水平状態に吊られたままで天井材２より離れるように移動し、間隙Ｓが拡大した状態でも天井材２及び天井材３と面一の状態を保持している。
【００２１】
図８において符号１で示すエキスパンションジョイントの他の例は、壁材２´と隅部の天井材３との間隙Ｓにカバー材４を設置するものであり、このエキスパンションジョイント１は、壁材２´が天井材３と直交する状態にあるため、壁材２´の額縁材１３の構造が上記エキスパンションジョイント１とは相違して、取付部材４２をも必要としない。しかし、その他の部材の構造は上記エキスパンションジョイント１と同じである。
【００２２】
構造が相違する額縁材１３は、図９に示す通り、壁材２´の側縁と平行する側片１３ａに、短い前片１３ｂと長い後片１３ｃを下方へ直角に曲成して壁材１０の側部に嵌め付け、側片１３ａの中央部より上側へは直立片１３ｄを立ち上げて、直立片１３ｄの上部にカバー材４に設けた支点部材１１を係合させる受座１２を形成してある。
【００２３】
このエキスパンションジョイントも、壁材２´と天井材３の間隙Ｓが変動しない常態においては、カバー材４は図８に示す通り、天井材３と面一をなして間隙Ｓを閉塞している。しかし、壁体２´と天井材３の間隙Ｓが狭まる変動を生ずると、図１０、図１１に示す通りカバー材４の支点部材１１が壁材２´の受座１２に支持された状態で吊り腕７が移動するため、摺動子６が吊り腕７の傾斜孔８を上昇してカバー材４を傾動させることにより、カバー材４を天井材３の上方に入り込ませて、間隙Ｓが図１０及び図１１に示す通りに縮小する変動を支障なく行わせる。また、反対に壁材２´と天井材３が間隙Ｓの広がる変動を起こすときは、図１２に示す通りカバー材４が水平の状態を保持したまま、吊り腕７に伴われて移動し間隙Ｓを拡大する変動に対処する。
【００２４】
【発明の効果】
（１）  一方の天井材等に取り付けた吊り腕の傾斜孔に摺動子を係合させてカバー材等を吊る構造であるため、コンパクトで軽い構造になって製作並びに取り付が容易になるし、また、傾斜孔に摺動子を摺動させてカバー材の傾動を行わせるため、作動抵抗が小さくて天井材等の変動によく追随して、変動を確実に吸収する作用を安定して行う。
【００２５】
（２）カバー材の支点部材に天井材等に設けた受座を対応させてあるから、間隙が狭まる変動の際には支点部材が受座へ当って受座を中心とした回動を行わせる。しかし、間隙が広がる変動の際には支点部材は受座より離れて、間隙を自由に広がらせるようするため、間隙の広がる変動にも適切に対処できる。
【００２６】
カバー材の両側には、天井材等との隙間を遮蔽するように目隠片を設けたから、常態においては目隠片により隙間が塞がれてここから天井裏が見えないので、外観が良い。
【図面の簡単な説明】
【図１】天井材の間隙に設けたエキスパンションジョイントの一例の常態を示す断面図。
【図２】（ａ）（ｂ）は、同上の天井材へ取付ける額縁材の一部分を示す斜視図。
【図３】カバー材の一部分を示す斜視図。
【図４】（ａ）（ｂ）（ｃ）（ｄ）は、摺動子を支持する立上片と、立上片の座板と、カバー材の吊り腕と、額縁材の取付部材を示す斜視図。
【図５】同上エキスパンションジョイントが天井材の間隙が狭まる変動に対応した状態の断面図。
【図６】天井材の間隙が更に狭まる変動に対応した状態の断面図。
【図７】天井材の間隙が広がる変動に対応した状態の断面図。
【図８】壁材と天井材の間隙に設けたエキスパンションジョイント他の例の常態を示す断面図。
【図９】同上の壁材用の額縁材の一部分を示す斜視図。
【図１０】同上エキスパンションジョイントが壁材と天井材の間隙が狭まる変動に対応した状態の断面図。
【図１１】壁材と天井材の間隙が更に狭まる変動に対応した状態の断面図。
【図１２】壁材と天井材の間隙が広がる変動に対応した状態の断面図。
【符号の説明】
１  エキスパンションジョイント
Ｓ  間隙
２と３  天井材等
４  カバー材
５  立上片
６  摺動子
７  吊り腕
８  傾斜溝
９と１０  目隠片
１１  支点部材
１２  受座
【図１】
2004353326.tif 000003
【図２】
2004353326.tif 000004
【図３】
2004353326.tif 000005
【図４】
2004353326.tif 000006
【図５】
2004353326.tif 000007
【図６】
2004353326.tif 000008
【図７】
2004353326.tif 000009
【図８】
2004353326.tif 000010
【図９】
2004353326.tif 000011
【図１０】
2004353326.tif 000012
【図１１】
2004353326.tif 000013
【図１２】
2004353326.tif 000014